(57)【要約】      （修正有）【課題】視覚障害者でも正確にフロントパネルのキースイッチあるいはリモコンのボタンを操作できるＤＶＤレコーダーの制御運転構造及び電子機器の制御運転構造を提供する。【解決手段】本体２のフロントパネル３のキースイッチあるいはリモコンのボタンを押し操作することによって、ＤＶＤレコーダー１のディスク部を制御運転するようにしたＤＶＤレコーダーの制御運転構造において、本体２のフロントパネル３のキースイッチのボタンとリモコンのボタン４、５、６、７が操作目的に適応するような形状に突出形成されると共に各ボタンは２度押し操作されるようになされ、制御部で各ボタンのいずれかが２度押しされたか否かが判断されて、同一ボタンが２度押しされたことを制御部で確認された時にＤＶＤレコーダー１のディスク部が制御運転されるように構成した。【選択図】図１
2007328845.tif 000002
【特許請求の範囲】
【請求項１】
本体のフロントパネルのキースイッチあるいはリモコンのボタンを押し操作することによって、ＤＶＤレコーダーのディスク部を制御運転するようにしたＤＶＤレコーダーの制御運転構造において、前記本体のフロントパネルのキースイッチのボタンとリモコンのボタンが操作目的に適応するような形状に突出形成されると共に前記各ボタンは２度押し操作されるようになされ、制御部で前記各ボタンのいずれかが２度押しされたか否かが判断されて、同一ボタンが２度押しされたことを前記制御部で確認された時にＤＶＤレコーダーのディスク部が制御運転されるように構成したことを特徴とするＤＶＤレコーダーの制御運転構造。
【請求項２】
本体のフロントパネルのキースイッチあるいはリモコンのボタンを押し操作することによって、電子機器を制御運転するようにした電子機器の制御運転構造において、前記本体のフロントパネルのキースイッチのボタンと前記リモコンのボタンが操作目的に適用するような形状に突出形成されると共に前記各ボタンは２度押し操作されるようになされ、制御部で前記各ボタンのいずれかが２度押しされたか否かが判断されて、同一ボタンが２度押しされたことを前記制御部で確認された時に電子機器が制御運転されるように構成したことを特徴とする電子機器の制御運転構造。
【発明の詳細な説明】
【技術分野】
【０００１】
本発明は、本体キーあるいはリモコンのボタンを押し操作することによって、ＤＶＤレコーダーのディスク部を制御運転するかもしくは電子機器が制御運転されるようにしたＤＶＤレコーダーの制御運転構造及び電子機器の制御運転構造に関するものである。
【背景技術】
【０００２】
第１の従来技術を図６（ａ）（ｂ）に示す。この従来の遠隔操作装置は、図６（ａ）（ｂ）に示すように、複数のスイッチ１０３を備え、空調機などの被制御機器を遠隔操作するものであり、複数のスイッチ１０３の内、「運転／停止」スイッチ１３１、「温度上昇」スイッチ１３２、「温度下降」スイッチ１３３のみを操作可能とし、他のスイッチ１０３を操作できないようにカバー１０６で覆い、遠隔操作装置１０１をカバー１０６で覆ったことを検出することにより、遠隔操作装置１０１は被制御機器に、「自動」運転状態となる信号を送信するものである。更に、スイッチ１３１、１３２、１３３に点字を設けたものもある。（例えば、特許文献１参照）。
【０００３】
ところが、スイッチ１３１、１３２、１３３に点字を設けたものでは、点字をなぞるときにスイッチ１３１、１３２、１３３を押してしまい、誤動作する虞があるという問題があった。
【特許文献１】特開２０００−３１２３９２号公報
【発明の開示】
【発明が解決しようとする課題】
【０００４】
本発明は、上記従来の問題に鑑みてなされたものであって、視覚障害者でも正確に本体のフロントパネルのキースイッチあるいはリモコンのボタンを操作することができるＤＶＤレコーダーの制御運転構造及び電子機器の制御運転構造を提供することを目的としている。
【課題を解決するための手段】
【０００５】
本発明は、上記課題を解決するために提案されたものであって、請求項１に記載の発明は、本体のフロントパネルのキースイッチあるいはリモコンのボタンを押し操作することによって、ＤＶＤレコーダーのディスク部を制御運転するようにしたＤＶＤレコーダーの制御運転構造において、前記本体のフロントパネルのキースイッチのボタンとリモコンのボタンが操作目的に適応するような形状に突出形成されると共に前記各ボタンは２度押し操作されるようになされ、制御部で前記各ボタンのいずれかが２度押しされたか否かが判断されて、同一ボタンが２度押しされたことを前記制御部で確認された時にＤＶＤレコーダーのディスク部が制御運転されるように構成したことを特徴としている。
【０００６】
請求項２に記載の発明は、本体のフロントパネルのキースイッチあるいはリモコンのボタンを押し操作することによって、電子機器を制御運転するようにした電子機器の制御運転構造において、前記本体のフロントパネルのキースイッチのボタンと前記リモコンのボタンが操作目的に適用するような形状に突出形成されると共に前記各ボタンは２度押し操作されるようになされ、制御部で前記各ボタンのいずれかが２度押しされたか否かが判断されて、同一ボタンが２度押しされたことを前記制御部で確認された時に電子機器が制御運転されるように構成したことを特徴としている。
【発明の効果】
【０００７】
請求項１に記載の発明によれば、本体のフロントパネルのキースイッチあるいはリモコンのボタンが操作目的に適用するような形状に突出形成されているから、視覚障害者でも操作目的に応じたボタンを触って押し操作することができる。更に、同一ボタンを２度押し操作することによってＤＶＤレコーダーのディスク部が制御運転されるから視覚障害者が最初のボタンを探すために操作目的とは異なるボタンに触って誤って押し操作したとしても、ＤＶＤレコーダーのディスク部が誤動作することがなく、同一ボタンを２度押ししてからディスク部が制御運転されることによって、視覚障害者でも正確に操作目的に応じたボタンの押し操作をすることができる。
【０００８】
請求項２に記載の発明によれば、本体のフロントパネルのキースイッチあるいはリモコンのボタンが操作目的に適用するような形状に突出形成されているから、視覚障害者でも操作目的に応じたボタンを触って押し操作することができる。更に、同一ボタンを２度押し操作することによって電子機器が制御運転されるから視覚障害者が最初のボタンを探すために操作目的とは異なるボタンに触って誤って押し操作したとしても、電子機器が誤動作することがなく、同一ボタンを２度押ししてからディスク部が制御運転されることによって、視覚障害者でも正確に操作目的に応じたボタンの押し操作をすることができる。
【発明を実施するための最良の形態】
【０００９】
以下、本発明に係るＤＶＤレコーダーの制御運転構造及び電子機器の制御運転構造の実施の形態について、図を参照しつつ説明する。
【００１０】
図１は本発明のＤＶＤレコーダーの制御運転構造における本体の構造を示し、（ａ）はＤＶＤレコーダーの斜視図、（ｂ）はＤＶＤレコーダーのフロントパネルに設けられたキースイッチのボタンの形状を示す拡大部分斜視図である。
【００１１】
本実施形態のＤＶＤレコーダーの制御運転構造における本体構造は、図１（ａ）に示すように、ＤＶＤレコーダー１の本体２の前面のフロントパネル３に複数のキースイッチのボタン４、５、６、７・・・が設けられている。これらのボタン４、５、６、７は図１（ｂ）に示すように、フロントパネル３より操作目的に適応するような形状に突出形成されている。再生用のボタン４は三角形状に突出形成され、停止用のボタン５は四角形状に突出形成され、早送り用のボタン６は早送り方向に向いた矢印形状に突出形成され、巻き戻し用のボタン７は巻き戻し方向に向いた矢印形状に突出形成されている。
【００１２】
従って、視覚障害者でもこれらのボタン４、５、６、７を触って操作目的に応じたボタンを押し操作することができるようになっている。
【００１３】
図２はリモコンの構造を示し、（ａ）はリモコンの一部破断した状態の平面図、（ｂ）はリモコンのボタンの形状を示す部分拡大斜視図である。
【００１４】
図２（ａ）に示すように、リモコン８にはその表面に複数のボタン９、１０、１１、１２・・・が設けられている。これらのボタン９、１０、１１、１２は図２（ｂ）に示すように、リモコン８の表面より操作目的に適用するような形状に突出形成されている。再生用のボタン９は三角形状に突出形成され、停止用のボタン１０は四角形状に突出形成され、早送り用のボタン１１は図にて右向きの矢印形状に突出形成され、巻き戻し用のボタン１２は図にて左向きの矢印形状に突出形成されている。
【００１５】
従って、視覚障害者でもこれらのボタン９、１０、１１、１２を触って操作目的に応じたボタンを押し操作することができるようになっている。
【００１６】
図３はＤＶＤレコーダーの構造を示すブロック図である。このＤＶＤレコーダー１はリモコン８とリモコン受光部１３とフロントスイッチ１４と制御部１５とディスク部１６とを有しており、制御部１５にはメモリ１７とタイマー１８が内蔵されている。上記したように、リモコン１７には複数のボタン９、１０、１１、１２が設けられ、フロントスイッチ１４には複数のボタン４、５、６、７が設けられている。
【００１７】
図４はリモコンのボタンの押し操作による制御運転の運転動作を示すフローチャート図である。
【００１８】
次に、図４に基づいてリモコン８のボタン９、１０、１１、１２の押し操作による制御運転動作について説明する。
【００１９】
図４に示すように、まず、リモコン８のボタン４、５、６又は７を視覚障害者が触って操作目的に応じたボタン（例えば、再生用のボタン４）を押し操作する（Ｓ１）。このリモコン８の再生用のボタン４の押し操作によるリモコンモードをリモコン受光部１３で受信し、メモリ１７にリモコンコードＡとして記憶する（Ｓ２）。次に、タイマー１８でカウントが開始され、この間にリモコン８のボタン４、５、６又は７が押し操作されてリモコン受光部１３で受信され、メモリ１７にリモコンモードＢとして記憶される（Ｓ３、Ｓ４）。次に、制御部１５でリモコンコードＡとＢが一致するか否かが判定される。即ち、同じボタンが２度押されたか否かが判定される（Ｓ５）。一致した場合には、タイマー１８が５秒以内であったか否かが判定される（Ｓ６）。一致しない場合には、メモリ１７内のテーブルのリモコンコードＡを消去してリモコンコードＢをＡとして記憶する（Ｓ７）。この場合、タイマー１８がリセットされる（Ｓ８）、タイマーが再びカウント開始される。リモコンコードＡとリモコンコードＢが一致してタイマー１８が５秒以内であると、リモコンコードに対応した制御が行われ、ディスク部１６が制御運転される（Ｓ９）。タイマー１８が５秒以内でなかったらタイマー１８がリセットされて再びタイマーカウントが開始される。
【００２０】
図５は本体のフロントパネルのキースイッチのボタンの押し操作による制御運転の運転動作を示すフローチャート図である。
【００２１】
次に、図５に示すように、フロントパネル３のフロントスイッチ１４のボタン９、１０、１１又は１２を視覚障害者が触って操作目的に応じたボタン（例えば、再生用のボタン９）を押し操作する（Ｓ１１）。このフロントスイッチ１４の再生用のボタン９の押し操作によるキー信号をメモリ１７にキー信号Ａとして記憶する（Ｓ１２）。次に、タイマー１８でカウントが開始され、この間にフロントスイッチ１４のボタン９、１０、１１又は１２が押し操作されて制御部１５で受信され、メモリ１７にキー信号Ｂとして記憶される（Ｓ１３、Ｓ１４）。次に、制御部１５でキー信号ＡとＢが一致するか否かが判定される（Ｓ１５）。一致した場合には、タイマー１８が５秒以内であったか否かが判定される（Ｓ１６）。キー信号が一致しない場合には、メモリ１７内のテーブルのキー信号ＢをＡとして記憶する（Ｓ１７）。この場合、タイマー１８がリセットされ（Ｓ１８）、あらためてタイマー１８がカウント開始される。タイマー１８が５秒以内であれば、キー信号に対応した制御が行われ、ディスク部１６が制御運転される（Ｓ１９）。タイマー１８が５秒以内でなければタイマー１８がリセットされて再びタイマーカウントが開始される。
【００２２】
従って、本実施形態のＤＶＤレコーダーの制御運転構造によれば、本体２のフロントパネル３のキースイッチあるいはリモコン８のボタン４、５、６、７又は９、１０、１１、１２が操作目的に適用するような形状に突出形成されているから、視覚障害者でも操作目的に応じたボタンを触って押し操作することができる。更に、同一ボタンを２度押し操作することによってＤＶＤレコーダー１のディスク部１６が制御運転されるから視覚障害者が最初のボタンを探すために操作目的とは異なるボタンに触って誤って押し操作したとしても、ＤＶＤレコーダー１のディスク部１６が誤動作することがなく、同一ボタンを２度押ししてからディスク部１６が制御運転されることによって、視覚障害者でも正確に操作目的に応じたボタンの押し操作をすることができる。また、タイマー１８によって、５秒以内に同一ボタンが押し操作されたか否かが判定されるので、続けて同じボタンが押された場合だけ、ディスク部１６が制御運転されるように制御することができる。
【００２３】
尚、本発明は、ＤＶＤレコーダーの制御運転構造に限らず、他の電子機器の制御運転構造にも適用できることは勿論である。
【図面の簡単な説明】
【００２４】
【図１】本発明のＤＶＤレコーダーの制御運転構造における本体の構造を示し、（ａ）はＤＶＤレコーダーの斜視図、（ｂ）はＤＶＤレコーダーのフロントパネルに設けられたキースイッチのボタンの形状を示す拡大部分斜視図である。
【図２】リモコンの構造を示し、（ａ）はリモコンの一部破断した状態の平面図、（ｂ）はリモコンのボタンの形状を示す部分拡大斜視図である。
【図３】ＤＶＤレコーダーの構造を示すブロック図である。
【図４】リモコンのボタンの押し操作による制御運転の運転動作を示すフローチャート図である。
【図５】本体のフロントパネルのキースイッチのボタンの押し操作による制御運転の運転動作を示すフローチャート図である。
【図６】従来の遠隔操作装置を示し、（ａ）はその正面図、（ｂ）は（ａ）におけるＡ−Ａ線の断面図である。
【符号の説明】
【００２５】
１      ＤＶＤレコーダー
２      本体
３      フロントパネル
４      再生用のボタン
５      停止用のボタン
６      早送り用のボタン
７      巻き戻し用のボタン
８      リモコン
９      再生用のボタン
１０    停止用のボタン
１１    早送り用のボタン
１２    巻き戻し用のボタン
１３    リモコン受光部
１４    フロントスイッチ
１５    制御部
１６    ディスク部
１７    メモリ
１８    タイマー
【図１】
2007328845.tif 000003
【図２】
2007328845.tif 000004
【図３】
2007328845.tif 000005
【図４】
2007328845.tif 000006
【図５】
2007328845.tif 000007
【図６】
2007328845.tif 000008